(57)【要約】【課題】  ２つのリフィル手帳を収納でき、折り畳んだ際に、片手で持つことができ、第１のリング又は第２のリングで閉じたリフィル手帳の一方を使用する場合の利便性を向上させることができるシステム手帳バインダーを提供する。【解決手段】  リフィル手帳をそれぞれ収納する第１のリング２ａと第２のリング２ｂを備え、第１面１ａ、第２面１ｂ、第３面１ｃ、第４面１ｄを備え、第１面１ａと第２面１ｂの接続する内側部分に第１のリング２ａが設けられ、第３面１ｃと第４面１ｄの接続する内側部分に第２のリング２ｂが設けられ、第１のリング２ａが設けられている部分で第１面１ａと第２の面１ｂとが折れ曲がり、第２のリング２ｂが設けられている部分で第３面１ｃと第４の面１ｄとが折れ曲がり、第２面１ｂの第１のリング２ａ側とは反対側と第３面１ｃの第２のリング２ｂ側とは反対側が折り曲げ可能な折り曲げ部で接続されているシステム手帳バインダーである。【選択図】        図１
2020037279.tif 000002
【特許請求の範囲】
【請求項１】
リフィル手帳を収納する第１のリングと第２のリングを備えたシステム手帳用のバインダーであって、
第１面、第２面、第３面、第４面を備え、
前記第１面と前記第２面の接続する内側部分に前記第１のリングが設けられ、
前記第３面と前記第４面の接続する内側部分に前記第２のリングが設けられ、
前記第１のリングが設けられている部分で前記第１面と前記第２の面とが折れ曲がり、
前記第２のリングが設けられている部分で前記第３面と前記第４の面とが折れ曲がり、
前記第２面の前記第１のリング側とは反対側と前記第３面の前記第２のリング側とは反対側が折り曲げ可能な折り曲げ部で接続されていることを特徴とするシステム手帳バインダー。
【請求項２】
少なくとも、第２面、第４面には芯材が設けられているが、
第１のリングが形成された部分、第２のリングが形成された部分、折り曲げ部には芯材が設けられていないことを特徴とする請求項１記載のシステム手帳バインダー。
【発明の詳細な説明】
【技術分野】
【０００１】
本発明は、システム手帳のバインダーに係り、特に、２つのリフィル手帳を同時に広げて使用でき、また、一方のリフィル手帳のみを使用する場合の使い勝手を向上させることができ、更にコンパクトに折り畳み可能なシステム手帳バインダーに関する。
【背景技術】
【０００２】
［従来の技術］
従来のシステム手帳用のバインダー（手帳カバー）には、表紙の内側にノートを挟み込み、リフィル手帳とノートを同時に使用するものがあった。
また、リングのない手帳用の表紙としては、内側に２つのノートを挟み込んで、２つのノートを使用できるものがあった。
【０００３】
［関連技術］
尚、関連する先行技術として、特許第４６２３４３８号公報「バインダー式連結手帳」（高柳威男）［特許文献１］、特開２００１−２２５５８０号公報「手帳用バインダー」（有限会社宮文館）［特許文献２］がある。
【０００４】
特許文献１には、リング付きの手帳を２つ連結するもので、連結部分で平面的に回転可能とし、また、連結部分で山折も可能なバインダー式連結手帳が示されている。
特許文献２には、ベースシートの３列のリングを形成し、中央部分が谷折となる手帳用バインダーが示されている。
【先行技術文献】
【特許文献】
【０００５】
【特許文献１】特許第４６２３４３８号公報
【特許文献２】特開２００１−２２５５８０号公報
【発明の概要】
【発明が解決しようとする課題】
【０００６】
しかしながら、従来のシステム手帳用のバインダーでは、２つ又は３つの手帳を収納する構成はあるものの、手に持って開いたときに、注意しないと複数の手帳が全て開いて垂れ下がってしまうことがあり、手に持って使用する場合と卓上で使用する場合との双方にとって使い勝手を向上させたものとはなっていないという問題点があった。
【０００７】
特許文献１は、連結部分が山折になる構成ではあるが、一方の手にバインダー式連結手帳を持って他方の手にペンを持って筆記する場合に、注意しないと２つの手帳が全て開いて垂れ下がってしまい、それを防止する構成とはなっていない。
【０００８】
特許文献２は、中央部分が谷折となる構成であって、閉じた状態を維持する止めバンドが設けられているが、止めバンドを外したときに、注意しないと片手で持った手帳が全て開いて垂れ下がってしまい、それを防止する構成とはなっていない。
【０００９】
本発明は上記実情に鑑みて為されたもので、２つのリフィル手帳を収納でき、折り畳んだ際に、片手で持つことができ、第１のリング又は第２のリングで閉じたリフィル手帳の一方を使用する場合の利便性を向上させることができるシステム手帳バインダーを提供することを目的とする。
【課題を解決するための手段】
【００１０】
上記従来例の問題点を解決するための本発明は、リフィル手帳を収納する第１のリングと第２のリングを備えたシステム手帳バインダーであって、第１面、第２面、第３面、第４面を備え、第１面と第２面の接続する内側部分に第１のリングが設けられ、第３面と第４面の接続する内側部分に第２のリングが設けられ、第１のリングが設けられている部分で第１面と第２の面とが折れ曲がり、第２のリングが設けられている部分で第３面と第４の面とが折れ曲がり、第２面の第１のリング側とは反対側と第３面の第２のリング側とは反対側が折り曲げ可能な折り曲げ部で接続されていることを特徴とする。
【００１１】
本発明は、上記システム手帳バインダーにおいて、少なくとも、第２面、第４面には芯材が設けられているが、第１のリングが形成された部分、第２のリングが形成された部分、折り曲げ部には芯材が設けられていないことを特徴とする。
【発明の効果】
【００１２】
本発明によれば、第１面、第２面、第３面、第４面を備え、第１面と第２面の接続する内側部分に第１のリングが設けられ、第３面と第４面の接続する内側部分に第２のリングが設けられ、第１のリングが設けられている部分で第１面と第２の面とが折れ曲がり、第２のリングが設けられている部分で第３面と第４の面とが折れ曲がり、第２面の第１のリング側とは反対側と第３面の第２のリング側とは反対側が折り曲げ可能な折り曲げ部で接続されているシステム手帳バインダーとしているので、折り畳んだ際に、片手で持つことができ、第１のリング又は第２のリングで閉じたリフィル手帳の一方を使用する場合の利便性を向上させることができる効果がある。
【図面の簡単な説明】
【００１３】
【図１】本システム手帳バインダーの内側説明図である。
【図２】本システム手帳バインダーの外側説明図である。
【図３】本システム手帳バインダーの変形例１を示す概略説明図である。
【図４】本システム手帳バインダーの変形例２を示す概略説明図である。
【図５】本システム手帳バインダーの変形例３を示す概略説明図である。
【図６】別のシステム手帳バインダーの概略説明図である。
【図７】別のシステム手帳バインダーの閉じた状態の概略説明図である。
【発明を実施するための形態】
【００１４】
本発明の実施の形態について図面を参照しながら説明する。
［実施の形態の概要］
本発明の実施の形態に係るシステム手帳用のバインダー（システム手帳バインダー）は、第１面と第２面の接続する内側部分に第１のリングが設けられ、第３面と第４面の接続する内側部分に第２のリングが設けられ、第４面の第２のリング側とは反対側に第５面が接続部で接続され、第２面の第１のリング側とは反対側と第３面の第２のリング側とは反対側が折り曲げ可能な折り曲げ部で接続され、折り曲げ部で内側が山になるよう折り曲げて第２面の外側面と第３面の外側面を接近させた場合に、両面を接着させる第１の接着部が第２面の外側面と第３面の外側面に形成されているものであり、これにより、片手で持っている状態で、第４面を支えそこなったとしても、第４面と第５面が開いてしまうだけで、その片手で元の状態に容易に戻すことができ、片手で持った場合の利便性を向上させるものである。
【００１５】
［本システム手帳バインダー：図１］
本発明の実施の形態に係るシステム手帳バインダー（本システム手帳バインダー）について図１を参照しながら説明する。図１は、本システム手帳バインダーの内側説明図である。特に、図１（ａ）が平面図であり、（ｂ）が正面図である。
本システム手帳バインダーは、図１に示すように、内側の構成として、リフィル手帳をカバーする本体部分として、第１面１ａと、第２面１ｂと、第３面１ｃと、第４面１ｄと、第５面１ｅとを備え、内側に第１のリング２ａと第２のリング２ｂとを基本的に有している。
【００１６】
［本システム手帳バインダーの各部：図１］
次に、本システム手帳バインダーの各部について説明する。
［第１面１ａ〜第５面１ｅ］
本システム手帳バインダーのカバーとなる本体部分は、第１面１ａから第５面１ｅまでが連結されている。
具体的には、第１面１ａと第２面１ｂとが第１の接続部Ａで接続され、第２面１ｂと第３面１ｃとが第２の接続部Ｂで接続され、第３面１ｃと第４面１ｄとが第３の接続部Ｃで接続され、第４面１ｄと第５面１ｅとが第４の接続部Ｄで接続されている。
尚、第２の接続部Ｂが、請求項における折り曲げ部である。
【００１７】
尚、第１面１ａ〜第４面１ｄの大きさは同じであるが、第５面１ｅのみ横方向の長さが他の面の約６〜７割程度と短くなっている。第５面１ｅは、本システム手帳バインダーの蓋としての機能を有するもので、開け易くするために横方向の長さを短くしている。但し、第１面１ａ〜第４面１ｄと同じ長さであっても構わない。
そして、本システム手帳バインダーは、例えば、聖書サイズとポケットサイズの手帳に適用するものである。
【００１８】
また、第１面１ａから第５面１ｅまでは、化学繊維、硬質ＰＶＣ（ポリ塩化ビニル）で形成されており、部分的に内部に芯材が設けられている。化学繊維や硬質ＰＶＣの代わりに、革、合成皮革、ＰＰ（ポリプロピレン）等の素材を用いてもよい。
尚、芯材は、第１〜第４の接続部には形成されておらず、各接続部では折り曲げ可能となっている。
【００１９】
ただ、第４の接続部Ｄから外側（第２のリング２ｂ側とは反対側）に向けての一定幅の部分（第５面１ｅの横方向の長さに対して約半分の長さ）には、芯材が設けられていない。その一定幅の部分は、後述するように折り曲げ可能としている。
また、第４面１ｄは、後述するマグネット等の接着部を備えていないため、カードを挿入するためのポケット口を形成してもよい。その際に、カードの挿入口を中央縦方向に形成して、カードを横方向から挿入する形とすることで、手帳本体を１８０度回転させても使用可能となり、左右どちらが利き手の使用者でも扱いやすくなっている。
【００２０】
［第１のリング２ａ、第２のリング２ｂ］
そして、第１面１ａと第２面１ｂが接続する第１の接続部Ａの内側部分に第１のリング２ａが形成され、第３面１ｃと第４面１ｄが接続する第３の接続部Ｃの内側部分に第２のリング２ｂが形成されている。
この第１のリング２ａと第２のリング２ｂには、別々の手帳用のリフィル（リフィル手帳）がとじられるものである。
【００２１】
また、第１のリング２ａと第２のリング２ｂは、閉じたときにリング部分が膨らまないように、８ｍｍの径が小さいサイズを用いている。
通常、聖書サイズのシステム手帳では、リングサイズが１５ｍｍ径のリングを使用するが、本システム手帳バインダーでは、２つのリングにリフィル手帳を分けて収納するので、８ｍｍ径のスリムサイズとすることができる。
【００２２】
但し、リフィルの収納枚数を増やすためには、第１のリング２ａと第２のリング２ｂとを１１ｍｍ径サイズのリングとした構成であってもよい。
また、第１のリング２ａと第２のリング２ｂにおいて、一方のリングを８ｍｍ径サイズとし、他方のリングを１１ｍｍ径サイズとしてもよい。
【００２３】
［第１〜４の接続部Ａ〜Ｄ］
第１の接続部Ａは、第１面１ａと第２面１ｂを接続すると共に、第１のリング２ａが形成されており、内側が谷になるよう折り曲がる構成である。
第２の接続部Ｂは、第２面１ｂと第３面１ｃを接続し、内側が山になるよう折り曲がる構成である。第２の接続部Ｂでの折り曲げによって第２面１ｂの外側面と第３面１ｃの外側面が接するものとなる。
【００２４】
第３の接続部Ｃは、第３面１ｃと第４面１ｄを接続すると共に、第２のリング２ｂが形成されており、内側が谷になるよう折り曲がる構成である。
第４の接続部Ｄは、第４面１ｄと第５面１ｅを接続し、内側が谷になるよう折り曲がる構成である。第４の接続部Ｄでの折り曲げによって、本システム手帳バインダーを折り畳んだ状態で第１面１ａの外側面に第５面１ｅの内側面が被さるものとなる。詳細は後述する。
【００２５】
尚、第５面１ｅにおいて、第４の接続部Ｄに隣接して一定の幅で芯材を設けていない構成としているので、第４の接続部Ｄは、内側が谷になるよう折り曲がるだけでなく、内側が山になるよう折り曲げることも可能である。
【００２６】
［接着部３ａ〜３ｈ］
本システム手帳バインダーの特徴として、第１面１ａの外側面に接着部３ａ，３ｂが形成されている。接着部３ａ，３ｂは、平面形状で内部の芯材に貼り付けられ、例えば、マグネット等で構成されている。位置としては、第１面１ａにおいて、第１のリング２ａとは反対側の端部側に設けられている。
また、第２面１ｂの外側面に接着部３ｃ，３ｄが形成されている。接着部３ｃ，３ｄは、平面形状で内部の芯材に貼り付けられ、例えば、マグネット等で構成されている。位置としては、第２面１ｂにおいて、第１のリング２ａ側に設けられている。
【００２７】
また、第３面１ｃの外側面に接着部３ｅ，３ｆが形成されている。接着部３ｅ，３ｆは、平面形状で内部の芯材に貼り付けられ、例えば、マグネット等で構成されている。位置としては、第３面１ｃにおいて、第２のリング２ｂ側に設けられている。
そして、第２の接続部Ｂで折り曲げられ、第２面１ｂと第３面１ｃが接した場合に、接着部３ｃと接着部３ｅが重なり、接着部３ｄと接着部３ｆが重なり、マグネットの磁力によって接着するようになっている。この接着部３ｃ，３ｄ，３ｅ，３ｆが請求項の第１の接着部に相当している。
【００２８】
また、第５面１ｅの内側面に接着部３ｇ，３ｈが形成されている。接着部３ｇ，３ｈは、平面形状で内部の芯材に貼り付けられ、例えば、マグネット等で構成されている。位置としては、第５面１ｅにおいて、第４の接続部Ｄとは反対側の端部側に設けられている。
そして、本システム手帳バインダーを、接続部Ｂが山に、接続部Ａと接続部Ｃが谷になるよう折り畳んで、第１面１ａの外側面に第５面１ｅの内側面を被せると、接着部３ａと接着部３ｇが重なり、接着部３ｂと接着部３ｈが重なり、マグネットの磁力によって接着するようになっている。この接着部３ａ，３ｂ，３ｇ，３ｈが請求項の第２の接着部に相当している。
【００２９】
ここで、接着部３ａ〜３ｈは、形成される各面に２箇所設ける構成となっているが、各面１箇所であってもよいし、３箇所以上であってもよい。ただ、接着する位置が合っている必要はある。
また、接着部の形状も、円形に限らず、四角でもよいし、帯状であっても構わない。
【００３０】
［本システム手帳バインダーの外側：図２］
次に、本システム手帳バインダーの外側について図２を参照しながら説明する。図２は、本システム手帳バインダーの外側説明図である。
本システム手帳バインダーは、図２に示すように、第１面１ａ〜第５面１ｅまで連結されており、第２の接続部Ｂと第４の接続部Ｄが外側から判別できる構成となっている。
【００３１】
また、接着部３ａ〜３ｆは、第１面１ａと、第２面１ｂと、第３面１ｃの芯材の外側に形成され、それを合成皮革で覆う構成となっている。接着部３ｇ、３ｈは、第５面１ｅの芯材の内側に形成され、それを合成皮革で覆う構成となっている。
接着部３ａ〜３ｈは、芯材に取り付けられているため、合成皮革の表面には表れず、目立たないものである。
【００３２】
［本システム手帳バインダーの変形例１：図３］
次に、本システム手帳バインダーを折り畳んだ場合の変形例１について図３を参照しながら説明する。図３は、本システム手帳バインダーの変形例１を示す概略説明図である。特に、図３（ａ）が平面図であり、（ｂ）が正面図である。
本システム手帳バインダーの変形例１は、図３に示すように、第１の接続部Ａ（第１のリング２ａ）で内側が谷になるよう折り曲げて、第１面１ａの外側面を表に出した状態である。従って、図３（ｂ）に示すように、第１面１ａと第２面１ｂが対向している。
【００３３】
［本システム手帳バインダーの変形例２：図４］
次に、本システム手帳バインダーを更に折り畳んだ場合の変形例２について図４を参照しながら説明する。図４は、本システム手帳バインダーの変形例２を示す概略説明図である。特に、図４（ａ）が平面図であり、（ｂ）が正面図である。
本システム手帳バインダーの変形例２は、図４に示すように、図３の状態から第２の接続部Ｂで内側が山になるよう折り曲げて、第２面１ｂと第３面１ｃを接着させ、第３の接続部Ｃ（第２のリング２ｂ）で内側が谷になるよう折り曲げて閉じ、第５面１ｅが開いた状態である。従って、図４（ｂ）に示すように、第１面１ａと第２面１ｂが対向し、第３面１ｃと第４面１ｄが対向している。
【００３４】
［本システム手帳バインダーの変形例３：図５］
次に、本システム手帳バインダーを更に折り畳んだ場合の変形例３について図５を参照しながら説明する。図５は、本システム手帳バインダーの変形例３を示す概略説明図である。特に、図５（ａ）が平面図であり、（ｂ）が正面図である。
本システム手帳バインダーの変形例３は、図５に示すように、図４の状態から第４の接続部Ｄで内側が谷になるよう折り曲げて閉じた状態である。従って、図５（ｂ）に示すように、第１面１ａの外側面に第５面１ｅが被さっている。
【００３５】
図５における第５面１ｅが第１面１ａの外側面に被さった状態では、第１面１ａの外側の接着部３ａと第５面１ｅの内側の接着部３ｇが接着し、第１面１ａの外側の接着部３ｂと第５面１ｅの内側の接着部３ｈが接着している。
図５の状態が、本システム手帳バインダーが閉じられた状態となり、第２面１ｂと第３面１ｃが第１の接着部（接着部３ｃ，３ｄ，３ｅ，３ｆ）で接着し、第１面１ａと第５面１ｅが第２の接着部（接着部３ａ，３ｂ，３ｇ，３ｈ）で接着している。
【００３６】
［片手での使用方法］
次に、本システム手帳バインダーを一方の手で持って、他方の手でペンを持って使用している場合について説明する。
本システム手帳バインダーについて、第１面１ａの外側に被さった第５面１ｅを開き（第２の接着部を解除し）、誤って第１の接続部Ａと第１面１ａを保持して第４面１ｄの支えを外した場合に、第２面１ｂと第３面１ｃが第１の接着部で接着しているので、第４面１ｄと第５面１ｅが開いて垂れ下がる。
その場合、本システム手帳バインダーを保持している一方の手の指を伸ばして第４面１ｄを持ち上げれば、元に容易に戻すことができる。
【００３７】
また、本システム手帳バインダーについて、第１面１ａの外側に被さった第５面１ｅを開き（第２の接着部を解除し）、誤って第１面１ａのみを保持して第４面１ｄの支えを外した場合に、第１面１ａと第２面１ｂが開き、第２面１ｂと第３面１ｃが接着し、第４面１ｄは第３面１ｃに添う形に垂れ下がる。
その場合でも、本システム手帳バインダーを保持している一方の手の指を伸ばして第４面１ｄを持ち上げれば、元に容易に戻すことができる。
【００３８】
［別のシステム手帳バインダー：図６，７］
次に、本発明の実施の形態に係る別のシステム手帳バインダー（別のシステム手帳バインダー）について図６，７を参照しながら説明する。図６は、別のシステム手帳バインダーの概略説明図であり、図７は、別のシステム手帳バインダーの閉じた状態の概略説明図である。
別のシステム手帳バインダーは、図６、図７に示すように、第５面１ｅにおいて折り曲げ可能な部分にペン５を差し込む切り欠き部４ａ，４ｂが形成されている。
【００３９】
具体的には、第５面１ｅにおいて折り曲げ可能な部分の短辺に、内側に向けて数センチの長さで、例えば、Ｕ字形の切り欠き部４ａ，４ｂが形成されている。
切り欠き部４ａ，４ｂは、その部分にペン５を差し込んでも、ペン５の頭部が別のシステム手帳バインダーから飛び出ないようにするための構成である。
【００４０】
第５の面１ｅの短辺で、切り欠き部４ａは右利き用であり、切り欠き部４ｂは左利き用である。
別のシステム手帳バインダーによれば、第５面１ｅの折り曲げ可能な部分に形成した切り欠き部４ａ，４ｂにより、ペン５の頭部が本体から飛び出してしまうことがなく、ペン５を手帳本体内に収納できるものである。
【００４１】
［実施の形態の効果］
本システム手帳バインダーによれば、全ての面を閉じた状態では、第２面１ｂと第３面１ｃが第１の接着部で接着し、第１面１ａと第５面１ｅが第２の接着部で接着しているので、閉じた状態において片手で持っても、誤ってリフィル手帳が開いてしまうことがないという効果がある。
【００４２】
本システム手帳バインダーによれば、第２の接着部を解除しても、第２面１ｂと第３面１ｃが第１の接着部で接着しているので、誤って第１の接続部Ａと第１面１ａを保持して第４面１ｄの支えを外しても、第４面１ｄと第５面１ｅが開いて垂れ下がり、片手で元の状態に戻すことができ、第１のリングで閉じたリフィル手帳又は第２のリングで閉じたリフィル手帳の一方を使用する場合の利便性を向上させることができる効果がある。
【００４３】
本システム手帳バインダーによれば、第２の接着部を解除して、第１面１ａのみを保持して第４面１ｄの支えを外した場合にも、第１面１ａと第２面１ｂが開き、第２面１ｂと第３面１ｃが接着し、第４面１ｄは第３面１ｃに添う形になるため、片手で第４面１ｄを持ち上げて容易に元の状態に戻すことができる効果がある。
【００４４】
本システム手帳バインダーによれば、第２の接着部と第１の接着部を解除して第２面１ｂと第３面１ｃを開いた状態にすれば、卓上で全ての面をフラットに開くことができ、リフィル手帳がある部分の面には芯材が内蔵されているため、凹凸なくスムーズに筆記ができる効果がある。
【００４５】
本システム手帳バインダーによれば、第１のリング２ａと第２のリング２ｂを８ｍｍ径サイズのスリムなリングとしているので、折り畳んだときに、全体の厚みを薄くできる効果がある。
【産業上の利用可能性】
【００４６】
本発明は、２つのリフィル手帳を収納でき、手で持って使用する場合に全ての面が開いて垂れ下がってしまうことがなく、卓上で使用する場合には全ての面を開いてフラットにして、凹凸なくスムーズに筆記できるシステム手帳バインダーに好適である。
【符号の説明】
【００４７】
１ａ…第１面、  １ｂ…第２面、  １ｃ…第３面、  １ｄ…第４面、  １ｅ…第５面、  ２ａ…第１のリング、  ２ｂ…第２のリング、  ３ａ〜３ｈ…接着部（３ｃ，３ｄ，３ｅ，３ｆ…第１の接着部、  ３ａ，３ｂ，３ｇ，３ｈ…第２の接着部）、  ４ａ，４ｂ…切り欠き部、  ５…ペン
【図１】
2020037279.tif 000003
【図２】
2020037279.tif 000004
【図３】
2020037279.tif 000005
【図４】
2020037279.tif 000006
【図５】
2020037279.tif 000007
【図６】
2020037279.tif 000008
【図７】
2020037279.tif 000009